(57)【要約】【課題】加熱器の提供。【解決手段】筒体内に回転子が装着され、回転子が高速モータにより高速回転し、該筒体が入水口と出水口を具え、該筒体内壁と回転子外壁の少なくとも一つの壁面に軸方向に配列された複数の溝があり、該筒体内壁と回転子外壁が微小間隙を発生し、これにより、水が該回転子外壁と筒体内壁の間の微小間隙内に進入し、高速モータが回転子を回転させると、回転子の凹溝と凸条の急速回転により水が強制的に微小間隙内で急速に分裂して熱エネルギーを発生し、急速に水温を上昇させ、さらに出水口より加熱した水を送出し、少量且つ急速に水を加熱するか或いは瞬間的に蒸気にする目的を達する。【選択図】        図３
2004239494.tif 000002
【特許請求の範囲】
【請求項１】
筒体を具え、該筒体に入水口と出水口があり、且つ入水口に進入する水はすでに磁化浄化されている加熱器において、該筒体内に回転子が置かれ、回転子の外壁が筒体の内壁に接近し微小間隙を形成し、該回転子外壁と該筒体内壁の少なくとも一方に、軸方向に配列された複数の溝が設けられ、該回転子に軸が外接され、該軸に高速モータが連接され、且つ回転子の別側に設けられた位置決め軸が筒体別側に位置決めされ、水が回転子外壁と筒体内壁の間の微小間隙内に進入し、高速モータが該回転子を駆動して回転させると、回転子の凹溝と凸条が急速に回転して強制的に水を微小間隙内で急速に分裂させて熱エネルギーを発生させて水温を急速に上昇させ、さらに出水口より加熱した水を送出し、少量且つ急速な水の加熱或いは瞬間的に蒸気となす機能を具えたことを特徴とする、加熱器。
【請求項２】
請求項１に記載の加熱器において、前記溝が複数の配列された凹溝と凸条で形成され、該凹溝が半円形で凹んだ形状とされ、凸条が凸尖状を呈することを特徴とする、加熱器。
【請求項３】
請求項１に記載の加熱器において、前記溝が複数の配列された凹溝と凸条で形成され、該凹溝が方形で凹んだ形状とされ、凸条が凸出塊状を呈することを特徴とする、加熱器。
【請求項４】
請求項１に記載の加熱器において、前記溝が円筒形で凹んだ形状を呈することを特徴とする、加熱器。
【発明の詳細な説明】
【０００１】
【発明の属する技術分野】
本発明は一種の加熱器に係り、さらに詳しくは蒸気ボイラ、熱水ボイラのような加熱器に関する。
【０００２】
【従来の技術】
周知のとおり、現在一般に使用されているボイラは燃料を使用してその内部を加熱し、水の濃度を倍増し温度を上昇させるため、付着物を形成しやすく、ゆえに薬剤を投入して鍋の腐蝕と付着物を掃除する必要がある。しかし、薬剤を加入しても完全には腐蝕や付着物を取り除けず、このため定期的に酸洗しなければならず、そのためにボイラ内が損傷してボイラの寿命が短くなる。このため、本発明人はすでにこの問題に対し、磁化水を製造して工業用水の代わりに使用し、水中の陰イオンと陽イオンを分離し、水質を改変し、鍋壁の付着物と腐蝕の発生を防止する技術を提供している（例えば特許文献１参照。）。
【０００３】
一般にボイラ内部の水は燃料により加熱して熱水或いは蒸気とされて輸送されるが、その消耗する燃料は非常に膨大で、空気を汚染しやすく、且つ加熱速度が遅く、並びに経済的に符合しない。筒形のボイラに関しては、ボイラ内の全ての水を沸騰させなければ大量の蒸気を発生させられず、時間と燃料を消費し、即ちこれが一般にボイラを有する工場で目にする問題である。
【０００４】
【特許文献１】
実用新案登録第３０６９８４３号明細書
【０００５】
【発明が解決しようとする課題】
本発明の主要な目的は、有効に短時間内に、熱源を必要とせずに、熱水或いは蒸気を発生でき、且つ消耗エネルギー資源が少なく、環境を汚染しない加熱器を提供することにある。
【０００６】
本発明のもう一つの目的は、ボイラ加熱使用或いは家庭用温水器として使用でき、蒸気ボイラとして使用される時、水質の制限を受けず、先に水質を軟化させたり逆浸透させる必要がなく、また化学薬剤を添加して構造腐蝕を防止する必要がなく、高濃度の水を排出して冷却後に直接灌漑使用でき、使用水量に応じた熱水量を提供でき、水源を浪費しない加熱器を提供することにある。
【０００７】
【課題を解決するための手段】
請求項１の発明は、筒体を具え、該筒体に入水口と出水口があり、且つ入水口に進入する水はすでに磁化浄化されている加熱器において、該筒体内に回転子が置かれ、回転子の外壁が筒体の内壁に接近し微小間隙を形成し、該回転子外壁と該筒体内壁の少なくとも一方に、軸方向に配列された複数の溝が設けられ、該回転子に軸が外接され、該軸に高速モータが連接され、且つ回転子の別側に設けられた位置決め軸が筒体別側に位置決めされ、水が回転子外壁と筒体内壁の間の微小間隙内に進入し、高速モータが該回転子を駆動して回転させると、回転子の凹溝と凸条が急速に回転して強制的に水を微小間隙内で急速に分裂させて熱エネルギーを発生させて水温を急速に上昇させ、さらに出水口より加熱した水を送出し、少量且つ急速な水の加熱或いは瞬間的に蒸気となす機能を具えたことを特徴とする、加熱器としている。
請求項２の発明は、請求項１に記載の加熱器において、前記溝が複数の配列された凹溝と凸条で形成され、該凹溝が半円形で凹んだ形状とされ、凸条が凸尖状を呈することを特徴とする、加熱器としている。
請求項３の発明は、請求項１に記載の加熱器において、前記溝が複数の配列された凹溝と凸条で形成され、該凹溝が方形で凹んだ形状とされ、凸条が凸出塊状を呈することを特徴とする、加熱器としている。
請求項４の発明は、請求項１に記載の加熱器において、前記溝が円筒形で凹んだ形状を呈することを特徴とする、加熱器としている。
【０００８】
【発明の実施の形態】
本発明の加熱器は、筒体を具え、該筒体に入水口と出水口があり、且つ入水口の水源はすでに磁化浄化されている。本発明の特徴は以下のようであり、すなわち、筒体内に回転子が装着され、回転子の外壁が筒体の内壁に接近し微小間隙を発生し、該回転子外壁と該筒体内壁の少なくとも一つの壁面に、軸方向に配列された複数の溝が設けられ、該回転子に軸が外接され、該軸に高速モータが連接され、且つ回転子の別側に設けられた位置決め軸が筒体別側に位置決めされている。これにより水が回転子外壁と筒体内壁の間の微小間隙内に進入し、高速モータが該回転子を駆動して回転させると、回転子の凹溝と凸条が急速に回転して強制的に水を微小間隙内で急速に分裂させて熱エネルギーを発生させ、これにより水温を急速に上昇させ、さらに出水口より加熱した水を送出し、少量且つ急速な水の加熱或いは瞬間的に蒸気とする目的を達成する。
【０００９】
【実施例】
本発明の加熱器は、エネルギーを節約し環境保護に貢献する加熱器であり、現在の蒸気ボイラ或いは熱水ボイラ、或いは一般家庭用の温水器に適用される。図１、２、３に示されるように、それは、筒体１０を具え、該筒体１０に入水口１１と出水口１２が設けられ、底部に排水口１６が設けられ、入水口１１に入水管１１１が外接され、出水口１２に出水管１２１が外接され、入水口１１と出水口１２がそれぞれ筒体１０の上端に位置し、筒体１０は円形造形とされ、その一側より軸２１が挿入され、軸２１に高速モータ２２が外接され、筒体１０のもう一側に位置決め軸２３が設けられ（軸２１と位置決め軸２３の筒体１０に位置する部分に止水弁装置２１１、２３１がそれぞれ設けられている）、回転子２０が該位置決め軸２３による伝動を受けて回転し、該回転子２０は円柱体とされ、その外壁が筒体１０内壁と接近し、筒体１０の内壁に、軸方向に配列された複数の溝が設けられ、該溝は凹溝１３と凸条１４により形成され、該凹溝１３と凸条１４は隣り合って配列され、回転子２０の外壁２０１は円形表面とされ、並びに円筒形に凹んだ複数の溝２４を具え、該回転子２０の外壁２０１と筒体１０内壁の間に微小間隙１５が形成され、該筒体１０の出水口１２と入水口１１がそれぞれ該微小間隙１５に深く進入し、筒体１０の凹溝１３が半円形に凹んだ状態とされ、筒体の凸条１４は突尖状とされている。
【００１０】
以上の構造装置により、本発明の加熱器は、その水源が、磁化されて水質が改変された後に、さらに入水口１１より進入し、冷水が入水管１１１より該入水口１１に進入して微小間隙１５内に到達して並びにそれを充満すると、高速モータ２２が駆動されて回転子２０が駆動され回転し、回転子２０の外壁２０１が回転子２０に伴い円周性の移動を呈し、該外壁２０１と筒体１０の凸条１４上部が非常に接近し、筒体１０の複数の凸条１４と凹溝１３が交互に配置されて回転子２０の溝２４と水分子を励起させ、これにより水を該微小間隙１５内で急速に振動させ、押圧させて水分子を分裂させ、熱エネルギーを発生させる。これにより冷水が短時間内で加熱されて熱水となり、入水口１１に水源が補充されなければ、続けて高速で該回転子２０が回転させられることにより、微小間隙１５内の熱水が沸点に達して徐々に蒸気に転化し、出水口１２より蒸気が排出され、もし熱水が必要であれば、入水口１１より続けて水源を流入させれば、出水口１２より熱水が排出される。
【００１１】
凹溝１３、凸条１４は複数が密集するように相互に隣接するよう配列され、水がそのなかに充填されて、不断に筒体１０の密集した各凹溝１３と凸条１４及び回転子２０の溝２４による急速な衝撃、振動を受け、水分子に分裂し、水に対する加熱作用が発生し、熱水或いは蒸気が放出される。微小間隙１５内の水は少なく、凹溝１３と凸条１４数量は多く、回転速度も速いため、瞬間的に水が加熱され、不断に熱水、蒸気を供給でき、燃料、エネルギー資源を節約でき、また環境保護の作用を有すると共に安全であり、長期に不使用の場合や、筒体１０内の水を全て排出する必要がある場合は、排水口１６を開けて筒体１０内の水を排出することができる。
【００１２】
本発明の第２実施例は、図４、５に示されるようであり、筒体３０の内壁３０１が円形内面とされ、並びに円筒形に凹んだ複数の溝３６が設けられ、これに対する回転子４０の外壁には軸方向に配列された複数の凹溝４４と凸条４５が設けられている。上述の実施例と同様に、回転子４０外壁と筒体３０内壁３０１の間に微小間隙３５が形成され、回転子４０の凹溝４４が半円形に凹み、該凸条４５が凸尖状とされ、その発生する作用効果は上述の実施例と同様である。
【００１３】
本発明の第３実施例は、図６、７に示されるようであり、第１実施例とほぼ同じであるが、筒体１０’の凹溝１３’と凸条１４’が方形凹状と方形凸塊状とされ、回転子２０の外壁２０１に円筒形に凹んだ溝２４が設けられ、筒体１０’内壁と回転子２０外壁２０１の間に微小間隙１５’が形成されている。
【００１４】
本発明の第４実施例は図８、９に示されるようであり、第２実施例とほぼ同じであるが、回転子４０’の凹溝４４’と凸条４５’が方形に凹んだ形状と方形に突出した塊状とされ、筒体３０の内壁３０１が円筒形に凹んだ溝３６とされ、回転子４０’の外壁と筒体３０の内壁３０１が微小間隙３５を形成し、第３実施例と第４実施例はいずれも同じ機能を達成する。
【００１５】
第４実施例の回転子４０’及び筒体３０をいずれも円筒形に凹んだ溝と見なしても、本発明は同じ効果を有する。
【００１６】
図１０に示されるように、回転子２０外壁２０１を円形表面に形成し、筒体１０内壁を凹溝１３と凸条１４’を交互配置して実施することも、本発明の実施範囲内である。
【００１７】
【発明の効果】
本発明の熱水と水蒸気の発生は、モータの回転速度と微小間隙により決定され、モータの回転速度が速いほど、発生する水の温度は高くなり、微小間隙が小さくなるほど、水の温度上昇が大きくなり、本発明の製造時に実際の必要により量産される。
【００１８】
総合すると、本発明の加熱器は、新規性と進歩性を有し、且つ市販されている物品或いは関係文献資料に同じ或いは類似の構造はなく、すなわち特許の要件に符合している。
【図面の簡単な説明】
【図１】本発明の断面図である。
【図２】図１の２−２断面図である。
【図３】本発明の筒体の凹溝、凸条と回転子外壁の断面拡大図である。
【図４】本発明の第２実施例の筒体内断面図である。
【図５】本発明の第２実施例の筒体内壁と回転子の凹溝、凸条の断面拡大図である。
【図６】本発明の第３実施例の筒体内断面図である。
【図７】本発明の第３実施例の筒体内壁と回転子の凹溝、凸条の断面拡大図である。
【図８】本発明の第４実施例の筒体内断面図である。
【図９】本発明の第４実施例の筒体内壁と回転子の凹溝、凸条の断面拡大図である。
【図１０】本発明の第５実施例の筒体内壁と回転子の凹溝、凸条の断面拡大図である。
【符号の説明】
１０  筒体          １５  微小間隙        ３０  筒体
１０’筒体          １５’微小間隙        ３０１  内壁
１１  入水口        １６  排水口          ３５  微小間隙
１１１  入水管      ２０  回転子          ３６  溝
１２  出水口        ２０１  外壁          ４０  回転子
１２１  出水管      ２１  軸              ４０’回転子
１３  凹溝          ２１１  止水弁装置    ４４  凹溝
１３’凹溝          ２２  高速モータ      ４４’凹溝
１４  凸条          ２３  位置決め軸      ４５  凸条
１４’凸条          ２３１  止水弁装置    ４５’凸条
２４  溝
【図１】
2004239494.tif 000003
【図２】
2004239494.tif 000004
【図３】
2004239494.tif 000005
【図４】
2004239494.tif 000006
【図５】
2004239494.tif 000007
【図６】
2004239494.tif 000008
【図７】
2004239494.tif 000009
【図８】
2004239494.tif 000010
【図９】
2004239494.tif 000011
【図１０】
2004239494.tif 000012